(57)【要約】【課題】光源の眩しさを感じ難くすると共に、必要とする所望の照明を得ることが可能な照明器具を提供する。【解決手段】透光部１１ａを有する器具本体１１と；器具本体の透光方向に対して略直交する方向に光軸ａ−ａを有して器具本体内に配設される光源１２と；光源の光を透光部から放射するように光源の光を反射させると共に、反射方向が可変できるように配設される反射体１３と；を具備する照明器具を構成する。【選択図】        図２
2008135202.tif 000002
【特許請求の範囲】
【請求項１】
透光部を有する器具本体と；
器具本体の透光方向に対して略直交する方向に光軸を有して器具本体内に配設される光源と；
光源の光を透光部から放射するように光源の光を反射させると共に、反射方向が可変できるように配設される反射体と；
を具備することを特徴とする照明器具。
【請求項２】
前記光源は、発光ダイオードで構成したことを特徴とする請求項１記載の照明器具。
【請求項３】
前記反射体は、反射面に光拡散処理を施したことを特徴とする請求項１または２記載の照明器具。
【発明の詳細な説明】
【技術分野】
【０００１】
本発明は、発光ダイオード等を光源とする照明器具に関する。
【背景技術】
【０００２】
従来、例えば、洗面化粧台、ミラーキャビネット、鏡台等に設置して、鏡の前方を照明する照明器具がある（例えば、特許文献１、２参照）。
【０００３】
また、一方、近年では省電力、長寿命等の観点から、光源として発光ダイオードを用いた各種の照明器具が提案されている（例えば、特許文献３参照）。
【特許文献１】特開２００６−６３７０号公報
【特許文献２】特開２００６−２２３４８５号公報
【特許文献３】特開２００６−１９１６０号公報
【発明の開示】
【発明が解決しようとする課題】
【０００４】
しかしながら、特許文献１、２に示されるものは、鏡の前方を照明する照明器具の光源として直管形の蛍光ランプを使用しているために器具全体が大型化し、さらに省電力やランプ寿命等の観点から光源を発光ダイオードにすることが望まれている。
【０００５】
発光ダイオードを光源とした照明器具を構成し、例えば、特許文献１、２に示されるように、ミラーの上部に設置した場合には発光ダイオードの光が直接目に入り眩しさを感じてしまう。
【０００６】
特に、発光ダイオードは発光面積が小さいことから輝度が高く、非常に眩しく感じ不快感を覚えることになってしまう。
【０００７】
このため、発光ダイオードの前方を乳白色の樹脂カバーで覆うことが行われるが、発光ダイオードは光量が不足するために明るさを減じてしまう問題が生じる。
【０００８】
また、特許文献１、２に示される照明器具は、洗面化粧台等に固定して取り付けられ、鏡の前にいる人以外の周囲も照明することになり、例えば、顔や襟元など人の上半身を集中的に照らして見たいときには明るさが不足してよく見えないことがある。
【０００９】
また、特許文献３に示される照明装置は、発光ダイオードを筐体内の目に見えない位置に設置し、反射拡散部材により光を外部に放出させている。
【００１０】
特許文献３の照明装置を洗面化粧台等の照明に使用した場合、光源である発光ダイオードの眩しさは解消できるが、顔や襟元など人の上半身を集中的に照らして見たいときの明るさ不足の問題は解消されない。
【００１１】
本発明は、このような点に鑑みなされたもので、光源の眩しさを感じ難くすると共に、必要とする所望の照明を得ることが可能な照明器具を提供しようとするものである。
【課題を解決するための手段】
【００１２】
上記の目的を達成するために、請求項１に記載の照明器具の発明は、透光部を有する器具本体と；器具本体の透光方向に対して略直交する方向に光軸を有して器具本体内に配設される光源と；光源の光を透光部から放射するように光源の光を反射させると共に、反射方向が可変できるように配設される反射体と；を具備することを特徴とする。
【００１３】
本発明によれば、器具本体の透光方向に対して略直交する方向に光軸を有して器具本体内に配設される光源と、光源の光を透光部から放射するように光源の光を反射させる反射体により、光源の眩しさを感じ難くすることが可能となる。
【００１４】
さらに、反射方向が可変できるように支持される反射体により、必要とする所望の照明を得ることができる。
【００１５】
本発明において器具本体は、合成樹脂で構成されたものでも、アルミニウム等の熱伝導性の良好な金属で構成されたものであってもよい。
【００１６】
器具本体の形状は、長尺状や箱状をなす形状が好ましいが、各種の照明用途に合わせて、矩形、多角形、円形等の形状をなしていてもよい。
【００１７】
透光部は、開放された広口の開口部であっても、多数の透孔によって形成された開口部であっても、さらには合成樹脂やガラス等の透光体で、一部または全体が閉塞されたものであってもよい。
【００１８】
光源は、器具本体の透光方向に対して光源の光軸が９０度の角度で直交していることが望ましいが、厳密に９０度である必要はなく実用上支障とならない範囲の角度で略直交しているものも許容される。
【００１９】
光源は、器具本体内に固定されて配設されることが好ましいが、所定の配光を得るために、設置角度や位置が可変できるように配設されていてもよい。
【００２０】
光源は、小型の光源で、例えば発光ダイオードや半導体レーザなどの半導体発光素子を許容する。
【００２１】
さらに、半導体発光素子に限らず、小型の電球やハロゲン電球等の白熱電球でもよい。
【００２２】
反射体は、例えば、放物線状の曲線をなす断面形状が好ましいが、楕円を含む略放物線状の曲線や直線状をなす平板等、光源の光を透光部から放射するように光源の光を反射させる全ての形状が許容される。
【００２３】
反射体は、例えば、ＰＢＴ（ポリブチレンテレフタレート）等の白色の合成樹脂で構成しても、ステンレスやアルミニウム等の金属板で構成してもよい。
【００２４】
反射面は、白色塗装や梨地処理等、光を拡散させる処理を施したものが好ましいが、鏡面であってもよい。
【００２５】
請求項２に記載の発明は、請求項１記載の照明器具において、前記光源は、発光ダイオードで構成したことを特徴とする。
【００２６】
発光ダイオードは、光源の光を略直線方向に制御するレンズ体等の光制御部材を有していてもよい。
【００２７】
請求項３に記載の発明は、請求項１または２記載の照明器具において、前記反射体は、反射面に光拡散処理を施したことを特徴とする。
【発明の効果】
【００２８】
請求項１の発明によれば、器具本体の透光方向に対して略直交する方向に光軸を有して器具本体内に配設される光源と、光源の光を透光部から放射するように光源の光を反射させる反射体により、光源が直接目に入ることが防止され、光源の眩しさを感じ難くすることが可能な照明器具を提供することができる。
【００２９】
さらに、反射方向が可変できるように配設される反射体により、光源が直接見えない位置としたまま、眩しさを感じることなく必要とする所望の照明を得ることが可能な照明器具を提供することができる。
【００３０】
請求項２の発明によれば、光源は、発光ダイオードで構成したので、省電力、長寿命で小型の照明器具を提供することができる。
【００３１】
請求項３の発明によれば、反射体は、反射面に光拡散処理を施したので、より確実に光源の眩しさを感じ難くすることが可能な照明器具を提供することができる。
【発明を実施するための最良の形態】
【００３２】
以下、本発明に係る照明器具の実施形態について説明する。
【実施例１】
【００３３】
図１〜図４は、本発明の第１実施形態の照明器具を示し、図１（ａ）は正面図、（ｂ）は上面図、（ｃ）は側面図、図２は図１（ａ）のＡ−Ａ線に沿って断面し拡大して示す断面図、図３は照明器具をミラーキャビネットに設置した状態を示し（ａ）は正面図、（ｂ）は上面図、図４は照明器具をミラーキャビネットに設置した変形例の正面図である。
【００３４】
本実施例の照明器具は、ミラーキャビネットに用いられる照明器具として構成されたものである。
【００３５】
照明器具１０は、器具本体１１、器具本体内に支持される光源１２および反射体１３で構成する。
【００３６】
器具本体１１は、合成樹脂で断面が略長方形の長尺状をなす箱体に構成し、正面を縦方向に開放して透光部１１ａを形成し、側面（図１中左側面）を平坦な面にして設置面１１ｂを形成する。
【００３７】
設置面１１ｂの裏側となる器具本体内に光源配設部１１ｃを形成し、光源である発光ダイオード（以下「ＬＥＤ」と称す）１２を有する発光体１２ａを配設する。
【００３８】
ＬＥＤ１２は、光軸ａ−ａに光線が主として放射される白色ＬＥＤからなり、一次レンズと組み合わせてチップ素子を構成する。
【００３９】
このチップ素子を複数個、本実施例では６個を長尺状の配線基板１２ｂに実装し、さらにレンズ体１２ｃの光入力端に挿入する。
【００４０】
さらにアルミニウム等、熱伝導性の良好な金属で構成されたケース１２ｄに収納して発光体１２ａを構成する。
【００４１】
この６個のＬＥＤ１２は、長尺なケース１２ｄの長手方向に均等な間隔をもって配置され、６個の各ＬＥＤにおける配置角度は、全て同一にして配置する。
【００４２】
上記構成の発光体１２ａを、器具本体の光源配設部１１ｃにネジ等の固定手段によって固定する。
【００４３】
これにより、光源である各ＬＥＤ１２が、器具本体１１の透光方向、すなわち、透光部１１ａに対して略直交する方向に光軸ａ−ａを有して器具本体１１内に配設される。
【００４４】
反射体１３は、ＰＢＴ（ポリブチレンテレフタレート）等の不透明な白色の合成樹脂板からなり、その上面に放物線状の曲線をなす断面形状の反射面１３ａを一体に形成する。反射面は、白色を呈し光を拡散するようになっている。
【００４５】
反射体１３は、各ＬＥＤ１２の前面に位置して反射面１３ａが正面に向くように器具本体１１内に配設し、各ＬＥＤ１２の光を透光部から放射するように光源の光を反射させる。
【００４６】
反射体１３は、一側端部（図２中左側端部）を軸１３ｂで軸支し、軸を中心にして透光部１１ａ側に、反射体の他端部が透光部から突出して所定角度の範囲にわたり可動、すなわち回動ができるように構成し、反射角、すなわち、反射方向が可変できるように配設し支持する。
【００４７】
図中１３ｃは、反射体の他端部に取り付けられた摘み部であり、この摘み部を使用者が摘んで反射体１３の傾斜角度を調整する。
【００４８】
なお、器具本体１１の上面および下面は、不透明な合成樹脂からなる端板１１ｄ、１１ｄで閉塞されている。
【００４９】
なお、上記に構成した各ＬＥＤ１２には、図示しない電源線が接続され、電源線は器具本体１１を貫通して外部に導出され、別途に構成した電源部（図示せず）に接続される。
【００５０】
上記により、長尺状、本実施例では約３００ｍｍの長さの器具本体１１内に、光源である６個のＬＥＤ１２および反射体１３が配設され収納された縦長ライン状の箱形をなす小型の照明器具１０が構成される。
【００５１】
上記に構成された照明器具１０は、図３に示すように、ミラーキャビネット２０の両側面部に１台ずつ設置される。すなわち、ミラーキャビネット２０の側面部に、器具本体１１の設置面１１ｂを当接させた状態で、ネジ等の別個の取り付け具によって固定する。
【００５２】
これにより、器具本体１１の長手方向が垂直になり透光部１１ａがミラー２０ａに対して略平行する方向で、かつミラー前方に向かって開口した状態で設置される。
【００５３】
上記に構成された照明器具１０の作動につき、図２および図３に従い説明する。
【００５４】
照明器具１０に対し、別置きの電源部から電源線を介して各ＬＥＤ１２に電源を供給し点灯する。
【００５５】
これにより、点状の光源である各ＬＥＤ１２が発光し、放射された光線がレンズ体１２ｃを透過して一方向、本実施例では主として略水平方向に屈折制御されて反射体１３に向けて放射される。
【００５６】
反射体１３に向けて放射された光線は、反射面１３ａで反射され器具本体１１の透光部１１ａからミラー２０ａの前方に向かって放射され、ミラーの前面に立った人Ｘを照明し、使用者は明るく照明された上半身をミラーに写して見ることができる（図３（ｂ）中の実線参照）。
【００５７】
この際、各ＬＥＤ１２は器具本体１１内に収納され、常に見えない位置に設置されて外からは見えず、使用者の目に入ることがないためグレアが低減されて眩しさを感じることがない。
【００５８】
また、各ＬＥＤ１２から放射された光線は、白色の反射体１３で拡散されるので柔らかな光となって明るく照明される。
【００５９】
さらに、使用者Ｘが顔や襟元などを集中的に照らして見たいときには、両側の反射体１３、１３の摘み部１３ｃ、１３ｃを摘み、反射体を透光部１１ａ、１１ａから引き出すようにして図中矢印方向に回動させ、ミラーに写った顔や襟元の明るさを見ながら反射体１３の反射角を調整し、光線を所望の反射方向にセットする。
【００６０】
これにより、使用者は必要な顔や襟元を、より一層明るくして見ることができる（図３（ｂ）中の破線参照）。
【００６１】
反射角を調整し、光線の反射方向を変えても、各ＬＥＤ１２は常に見えない位置にあり、外からは見えず眩しさを感じることがない。また、ＬＥＤから放射された光線は、白色の反射体１３で拡散されるので顔や襟元が柔らかな光となって明るく照明される。
【００６２】
使用後は、反射体１３を逆方向に回動して透光部１１ａから器具本体１１内に収納する。これにより、普段、反射体１３がミラー２０ａから突出することがなく邪魔にならない。
【００６３】
なお、片側の反射体のみを回動させて反射方向を変え、照射位置を調整するようにしてもよい。
【００６４】
上記により、ミラーキャビネット２０の照明として使用する場合、光量の少ないＬＥＤの光を無駄なく照射でき、かつＬＥＤの眩しさを感じない配光と、必要な照明領域に対する的確な所望の照明を行うことができる。
【００６５】
なお、本実施例の照明器具１０は、図４に示すようにミラー２０ａの上面に設置してもよい。
【００６６】
この場合は、器具本体１１を横方向に設置し透光部１１ａが上方から前方に向くようにミラーキャビネット２０の上面に設置する。
【００６７】
この場合も、下方からは光源である各ＬＥＤ１２が常に見えない状態で設置され眩しさを感じることはない。
【００６８】
以上、本実施例によれば、光源となる各ＬＥＤ１２が器具本体の透光方向、すなわち、透光部１１ａに対して略直交する方向に光軸ａ−ａを有して器具本体１１内に配設され、さらに、反射体１３がＬＥＤ１２の光を透光部１１ａから放射するように光源の光を反射させる。
【００６９】
これにより、ＬＥＤが常に見えない位置に配設されて外からは見えず、使用者の目に入ることがない。このためグレアが低減され眩しさを感じることがない。
【００７０】
同時に、反射体１３は反射方向が可変できるように配設されているので、ＬＥＤを直接見えない位置に固定したまま、眩しさを感じることなく顔や襟元など必要な部分を明るく照らすことができる。
【００７１】
光源をＬＥＤで構成したので、省電力、長寿命で小型、薄型化を図った照明器具を提供することができる。
【００７２】
また、器具全体として薄型化された構成となり、設置スペースの問題やデザイン的な制約を受けない小型の照明器具を提供することができる。
【００７３】
特に、上記のように器具自体の小型化、薄型化に合わせ、従来設置することができなかった小スペースであっても設置が可能となり、各種の照明器具に用いることができ汎用性を増すことができる。
【００７４】
また、光量の少ないＬＥＤ１２の光をロスなく使用することができ、かつ反射体１３で反射させた間接光となすことができ、グレアが低減された柔らかで、照度ムラ、色ムラ等のない照明を行うことができる。
【００７５】
また、ＬＥＤ１２は反射体１３および器具本体１１で覆うことができ、ＬＥＤ自体、さらにはＬＥＤの配線基板１２ｂ等を覆い隠すことができ、塵埃等から守ることができる。
【００７６】
本実施例において、各ＬＥＤ１２は白色ＬＥＤで構成したが、照明器具の用途に応じ、赤色（Ｒ）、緑色（Ｇ）、青色（Ｂ）等で発光するＬＥＤで構成してもよい。若しくはこれらを混合して、電球色、昼白色、昼光色等の光を発光させるようにしてもよい。
【００７７】
反射体１３は、ステンレスやアルミニウム等の金属板をプレス加工して構成し、反射面に白色塗装や梨地処理を施すようにしてもよい。
【００７８】
反射体１３の回動を、予め決められた所定の角度で節動機構等により各位置で停止するように構成してもよい。また必要以上に回動しないようにストッパー機構を設けるようにしてもよい。
【００７９】
電源部は、別置きに構成したが、器具本体１１と一体に構成してもよい。
【実施例２】
【００８０】
図５〜図６は、本発明の第２実施形態の照明器具を示し、図５は天井に埋め込んだ状態を示す縦断面図、図６は図５のＢ−Ｂ線に沿う断面図である。
【００８１】
なお、図５〜図６には、実施例１の図１〜図４と同一部分には同一符号を付してその詳細な説明は省略する。
【００８２】
本実施例の照明器具１０は、天井埋め込み形のダウンライトとして構成したものである。
【００８３】
器具本体１１は、合成樹脂で構成した直方体をなす箱体に構成し、箱体の下面を開放して透光部１１ａを形成する。
【００８４】
器具本体１１の一側面（図５中右側面）内に光源配設部１１ｃを形成して発光体１２ａを配設する。
【００８５】
本実施例の発光体１２ａは、光源である複数のＬＥＤ１２を、縦、横マトリックス状に９個配置したものである。
【００８６】
反射体１３は、ステンレス等の金属板で構成し、放物線状の曲線をなす断面形状の反射面１３ａが器具本体１１の透光部１１ａに向けて、ＬＥＤの光を透光部１１ａから放射するように光を反射させるように順次拡開して開放するように位置させて配設する。反射面１３ａは白色の塗装を施してある。
【００８７】
反射体１３は、上端部を軸１３ｂで軸支し、軸を中心にして所定角度の範囲にわたり回動ができるように構成する。
【００８８】
上記に構成された照明器具１０を図５に示すように、天井３０に埋め込んで設置し点灯させると、各ＬＥＤ１２から放射された光線はレンズ体１２ｃを透過して略水平方向に屈折制御されて反射体１３に向けて放射される。
【００８９】
反射体１３に向けて放射された光線は、反射面１３ａで反射され、器具本体１１の透光部１１ａから床面に向かって放射されて室内を照明する（図５中の実線参照）。
【００９０】
この際、各ＬＥＤ１２は器具本体１１内に収納され、下方からは見えないため、使用者の目に入ることがなく眩しさを感じることがない。
【００９１】
また、各ＬＥＤ１２から放射された光線は、白色の反射体１３で拡散されるので柔らかな光となって明るく照明される。
【００９２】
さらに、部屋の一部、例えば、ピアノの鍵盤近辺をスポット的に照らす照明を行う場合には、反射体１３の摘み部１３ｃを摘み、反射体１３を透光部１１ａから引き出すようにして図５中矢印方向に回動させ、鍵盤近辺の明るさを見ながら反射体１３の反射角を調整し、光線を所望の反射方向にセットする（図５中の破線参照）。
【００９３】
反射角を調整し反射方向を変えても、各ＬＥＤ１２は下方から見えることはなく眩しさを感じることがない。また、ＬＥＤから放射された光線は、白色の反射体１３で拡散されるので柔らかな光となって明るく照明される。
【００９４】
これにより、ダウンライトとして使用する場合、光量の少ないＬＥＤの光を無駄なく照射でき、かつＬＥＤの眩しさを感じない配光と、必要な照明領域に対する的確な所望の照明を行うことができる。
【００９５】
以上、その他、本実施例における他の構成、作動、作用効果、変形例等は、実施例１と同様である。
【００９６】
上記各実施例の照明器具は、ミラーキャビネット用の照明器具や天井埋め込み形のダウンライトタイプの照明器具として構成したが、その他家庭用、施設、業務用等の各種室内外の照明器具として構成してもよい。
【００９７】
以上、本発明の好適な実施形態を説明したが、本発明は上述の各実施例に限定されることなく、本発明の要旨を逸脱しない範囲内において、種々の設計変更を行うことができる。
【図面の簡単な説明】
【００９８】
【図１】本発明の第１実施形態の照明器具を示し（ａ）は正面図、（ｂ）は上面図、（ｃ）は側面図。
【図２】同じく図１（ａ）のＡ−Ａ線に沿って断面し拡大して示す断面図。
【図３】同じく照明器具をミラーキャビネットに設置した状態を示し（ａ）は正面図、（ｂ）は上面図。
【図４】同じく照明器具をミラーキャビネットに設置した変形例の正面図。
【図５】本発明の第２実施形態の照明器具を天井に埋め込んだ状態で示す縦断面図。
【図６】同じく図５のＢ−Ｂ線に沿う断面図。
【符号の説明】
【００９９】
１０  照明器具
１１  器具本体
１１ａ  透光部
１２  光源
１３  反射体
ａ−ａ  光軸
【図１】
2008135202.tif 000003
【図２】
2008135202.tif 000004
【図３】
2008135202.tif 000005
【図４】
2008135202.tif 000006
【図５】
2008135202.tif 000007
【図６】
2008135202.tif 000008